【手続補正書】
【提出日】平成19年6月4日(2007.6.4)
【手続補正１】
【補正対象書類名】特許請求の範囲
【補正対象項目名】全文
【補正方法】変更
【補正の内容】
【特許請求の範囲】
【請求項１】
送信先のＳＰＶｘ接続に関する障害に応答するシステムであって、
プライマリーソースノードと、
該プライマリーソースノードと通信可能であって、ＳＰＶｘ接続を作成するプライマリーソーススイッチと、
プライマリー送信先ノードと、
プライマリー送信先ノードと通信可能であって、ＳＰＶｘ接続を受信し、その接続によって、プライマリーソースノードとプライマリー送信先ノードとの間にプライマリー経路を形成するプライマリー送信先スイッチと、
代替送信先ノードと、を具えており、
プライマリー経路が障害を経験した後にだけ、プライマリーソースノードと代替送信先ノードによって代替経路を形成するようになし、プライマリー送信先スイッチがプライマリー経路の障害を検出したとき、プライマリー送信先スイッチは、プライマリー接続を代替経路に沿って自動的に代替送信先ノードへリダイレクトする、システム。
【請求項２】
ＳＰＶｘ接続に関する障害に応答するシステムであって、
プライマリーソースノードと、
該プライマリーソースノードと通信可能であって、ＳＰＶｘ接続を作成するプライマリーソーススイッチと、
プライマリー送信先ノードと、
プライマリー送信先ノードと通信可能であって、ＳＰＶｘ接続を受信し、その接続によって、プライマリーソースノードとプライマリー送信先ノードとの間にプライマリー経路を形成するプライマリー送信先スイッチと、
代替ソースノードと、を具えており、
プライマリー経路が障害を経験した後にだけ、代替ソースノードとプライマリー送信先ノードによって代替経路を形成するようになし、プライマリーソーススイッチがプライマリー経路の障害を検出したとき、代替ソーススイッチは、プライマリー送信先ノードへの接続を代替経路に沿って自動的に再構築する、システム。
【請求項３】
プライマリーソーススイッチは代替ソーススイッチと通信可能であり、プライマリー経路に障害があるとき、代替ソーススイッチが指定されるようになし、
ネットワークを含んでおり、ネットワーク中のプライマリー経路のプライマリー部に障害があるとき、代替ソーススイッチは、ＳＰＶｘ接続を、ネットワーク中の代替経路のプライマリー部を通じて、プライマリーソーススイッチからプライマリー送信先ノードへ再構築する請求項２に記載のシステム。
【請求項４】
プライマリーソーススイッチは代替ソーススイッチと通信可能であり、プライマリー経路に障害があるとき、代替ソーススイッチが指定されるようになし、
ネットワークを含んでおり、プライマリーソースノード及びネットワーク中の代替経路のプライマリー部に障害があるとき、代替ソーススイッチは、ＳＰＶｘ接続を、ネットワーク中のプライマリー経路のプライマリー部を通じて、代替ソーススイッチからプライマリーソーススイッチ乃至プライマリー送信先ノードへ再構築する請求項２に記載のシステム。
【請求項５】
ネットワーク中の接続の障害に応答するシステムであって、
複数のリルート選択肢を有するプライマリーソーススイッチと、
プライマリーソーススイッチに接続されたプライマリーソースノードと、
プライマリー送信先スイッチと、
プライマリー送信先スイッチに接続されたプライマリー送信先ノードと、を具えており、
プライマリーソースノードは、プライマリーソーススイッチを通じて、ネットワークを経て、プライマリーソースノードとプライマリー送信先ノードの間に単一の末端相互間接続を構築するようにしており、単一の末端相互間接続に障害があるとき、プライマリーソースノードとプライマリー送信先ノードとの間の末端相互間接続は１つだけに維持するようになし、プライマリーソーススイッチは、複数のリルート選択肢の中の１つに基づいて、ネットワーク経由の接続のリルートを行なう、システム。
【請求項６】
プライマリー送信先スイッチは、単一の末端相互間接続に障害が検出された後、単一の末端相互間接続を解除する請求項５に記載のシステム。
【請求項７】
プライマリーソーススイッチは、単一の末端相互間接続に障害が検出された後、プライマリー送信先ノードとの単一の末端相互間接続を再構築するためのアテンプトを複数回行なう請求項６に記載のシステム。
【請求項８】
単一の末端相互間接続はＳＰＶＸ接続であり、プライマリーソーススイッチは、ＳＰＶｘ接続を代替送信先ノードへ自動的にリダイレクトする請求項７に記載のシステム。
【請求項９】
プライマリーソーススイッチは、障害状態がクリアされたとき、ＳＰＶｘ接続をプライマリー送信先ノードへ再構築する請求項８に記載のシステム。
【請求項１０】
プライマリー送信先スイッチは、プライマリー経路に障害が検出されると、ＳＰＶｘ接続を解除する請求項９に記載のシステム。
【請求項１１】
プライマリーソーススイッチは、プライマリー経路に障害が検出されると、プライマリー送信先ノードとのＳＰＶｘ接続を再構築するアテンプトを複数回行なう請求項１０に記載のシステム。
【請求項１２】
プライマリーソーススイッチは、ＳＰＶｘ接続を、代替送信先ノードへ自動的にリダイレクトする請求項１１に記載のシステム。
【請求項１３】
ＳＰＶｘ接続に関する障害に応答する方法であって、
プライマリーソースノードとプライマリー送信先ノードとの間にＳＰＶｘ接続を形成するステップと、
プライマリーソースノードを有するプライマリー経路に障害を検出するステップと、
プライマリー送信先ノードを有する代替経路に沿って、ＳＰＶｘ接続を自動的に再構築するステップと、を有している方法。
【請求項１４】
プライマリーソースノードに障害があるとき、代替ソーススイッチを指定して、プライマリーソースノードに連繋されたプライマリーソーススイッチと、代替ソースノードに連繋された代替ソーススイッチとの間で通信を行なうステップを含んでいる請求項１３に記載の方法。
【請求項１５】
再構築するステップは、プライマリーソースノードに障害があるとき、ＳＰＶｘ接続を、代替ソースノードからプライマリー送信先ノードへ再構築するステップを含んでいる請求項１４に記載の方法。
【請求項１６】
再構築するステップは、プライマリーソースノードとプライマリーソーススイッチとの間のリンクに障害があるとき、ＳＰＶｘ接続を、代替ソースノードからプライマリー送信先ノードへ再構築するステップを含んでいる請求項１５に記載の方法。
【請求項１７】
再構築するステップは、プライマリーソーススイッチに障害があるとき、ＳＰＶｘ接続を、代替ソースノードからプライマリー送信先ノードへ再構築するステップを含んでいる請求項１４に記載の方法。
【請求項１８】
再構築するステップは、ネットワークの中のプライマリー経路のプライマリー部に障害があるとき、ＳＰＶｘ接続を、プライマリーソーススイッチから、代替ソーススイッチを経て、ネットワークの代替経路のプライマリー部を通じて、プライマリー送信先ノードへ再構築するステップを含んでいる請求項１４に記載の方法。
【請求項１９】
ＳＰＶｘ接続を再構築するステップは、プライマリーソース及びネットワークの中の代替経路のプライマリー部に障害があるとき、ＳＰＶｘ接続を、代替ソーススイッチから、プライマリーソーススイッチを経て、プライマリー経路のプライマリー部を通じて、プライマリー送信先ノードへ再構築するステップを含んでいる請求項１４に記載の方法。
【請求項２０】
障害状態がクリアされたとき、ＳＰＶｘ接続を、プライマリーソーススイッチからプライマリー送信先ノードへ再構築するステップを含んでいる請求項１５に記載の方法。
【請求項２１】
ＳＰＶｘ接続に関する送信先の障害に応答する方法であって、
プライマリーソースノードとプライマリー送信先ノードとの間にＳＰＶｘ接続を形成するステップと、
プライマリーソースノードとプライマリー送信先ノードとの間のプライマリー経路における障害を検出するステップと、
ＳＰＶｘ接続を代替送信先ノードへ自動的にリダイレクトするステップと、を有している方法。
【請求項２２】
ネットワーク中の接続障害に応答する方法であって、
プライマリーソースノードとプライマリー送信先ノードとの間で、ネットワークを経て、  複数のリルート選択肢を有する単一の末端相互間接続を構築するステップと、
接続の障害を経験するステップと、
プライマリーソースノードとプライマリー送信先ノードとの間の単一の末端相互間接続を維持することにより、複数のリルート選択肢の中の１つに基づいて、ネットワーク経由の接続をリルートするステップと、を有している方法。
【請求項２３】
経験するステップは、プライマリー送信先ノードの障害を検出するステップを含んでおり、リルートするステップは、接続を、代替送信先ノードへ自動的にリダイレクトするステップを含んでいる請求項２２に記載の方法。
【請求項２４】
検出するステップは、プライマリー送信先ノードの障害を検出するステップを含んでいる請求項２３に記載の方法。
【請求項２５】
プライマリー送信先ノードにより、ＳＰＶｘ接続を解除するステップを含んでいる請求項２４に記載の方法。
【請求項２６】
リダイレクトするステップは、プライマリーソースノードにより、ＳＰＶｘ接続を、代替送信先ノードへ自動的にリダイレクトするステップを含んでいる請求項２５に記載の方法。
【請求項２７】
リダイレクトするステップの後、プライマリー送信先ノードで、ＳＰＶｘ接続の回復を試みるステップを含んでいる請求項２６に記載の方法。
【請求項２８】
ＳＰＶｘ接続のリダイレクションをトリガする障害コードを設定するステップを含んでいる請求項２７に記載の方法。
【請求項２９】
接続を再構築するために、プライマリー送信先ノードで、複数回のアテンプトを行なうステップを含んでいる請求項２８に記載の方法。
【請求項３０】
経験するステップは、プライマリーソースノードを有するプライマリー経路の障害を検出するステップを含んでおり、リルートするステップは、プライマリー送信先ノードを有する代替経路に沿って接続を自動的にリダイレクトするステップを含んでいる請求項２２に記載の方法。
【請求項３１】
プライマリーソースノードに障害があるとき、代替ソーススイッチを指定して、プライマリーソースノードに連繋されたプライマリーソーススイッチと、代替ソースノードに連繋された代替ソーススイッチとの間で通信を行なうステップを含んでいる請求項３０に記載の方法。
【請求項３２】
再構築するステップは、プライマリーソースノードに障害があるとき、接続を、代替ソースノードからプライマリー送信先ノードへ再構築するステップを含んでいる請求項３１に記載の方法。
【請求項３３】
再構築するステップは、プライマリーソースノードとプライマリーソーススイッチとの間のリンクに障害があるとき、接続を、代替ソースノードからプライマリー送信先ノードへ再構築するステップを含んでいる請求項３１に記載の方法。
【請求項３４】
再構築するステップは、プライマリーソーススイッチに障害があるとき、接続を、代替ソースノードからプライマリー送信先ノードへ再構築するステップを含んでいる請求項３１に記載の方法。
【請求項３５】
再構築するステップは、ネットワークの中のプライマリー経路のプライマリー部に障害があるとき、接続を、プライマリーソーススイッチから、代替ソーススイッチを経て、ネットワークの代替経路のセコンダリー部を通じて、プライマリー送信先ノードへ再構築するステップを含んでいる請求項３１に記載の方法。
【請求項３６】
接続を再構築するステップは、プライマリーソースノード及びネットワークの中の代替経路のセコンダリー部に障害があるとき、接続を、代替ソーススイッチから、プライマリーソーススイッチを経て、プライマリー経路のプライマリー部を通じて、プライマリー送信先ノードへ再構築するステップを含んでいる請求項３１に記載の方法。
【請求項３７】
障害状態がクリアされたとき、末端相互間接続を、プライマリーソーススイッチを通じて再構築するステップを含んでいる請求項３４に記載の方法。